(57)【要約】【課題】ムカデ等の害虫の通過を阻止することができるとともに、建築物の基礎構造の表面に簡単かつ容易に取付け及び取外しができ、施工がしやすくメンテナンス性の良好な害虫防除仕掛け具を提供すること。【解決手段】建築物の基礎構造１の表面に当接される当接部１１と、当接部１１に形成された下向き開口の平板収容部１２と、平板収容部１２に収容されたときの縦断面形状が平板収容部１２に収容された平板部２１から下方に基礎構造１の平面から離れる方向に傾斜するとともに下部が下方に延出して形成されている暗空間形成部２２，２３と、平板収容部１２の下方で当接部１１に形成され収容状態の暗空間形成部２２，２３の落下を防止する落下防止ストッパー部１３とを備えている。【選択図】図１
2015149924.tif 000002
【特許請求の範囲】
【請求項１】
建築物の基礎構造の表面に水平方向に横断して配置されてムカデ等の害虫の通過を阻止する害虫防除仕掛け具であって、
前記表面に当接される当接部と、
この当接部に形成された下向き開口の平板収容部と、
この平板収容部に収容されたときの縦断面形状が前記平板収容部に収容された平板部から下方に前記表面から離れる方向に傾斜するとともに下部が下方に延出して形成されている暗空間形成部と、
前記平板収容部の下方で前記当接部に形成され前記収容状態の前記暗空間形成部の落下を防止する落下防止ストッパー部とを備えていることを特徴とする害虫防除仕掛け具。
【請求項２】
建築物の基礎構造の表面に水平方向に横断して複数配置されてムカデ等の害虫の通過を阻止する害虫防除仕掛け具であって、
前記表面に当接される第一の当接部と、この第一の当接部に形成された下向き開口の第一の平板収容部と、この第一の平板収容部に収容されたときの縦断面形状が前記第一の平板収容部に収容された第一の平板部から下方に前記表面から離れる方向に傾斜するとともに下部が下方に延出して形成された第一の暗空間形成部と、前記第一の平板収容部の下方で前記第一の当接部に形成され前記収容状態の前記第一の暗空間形成部の落下を防止する第一の落下防止ストッパー部とからなる第一の害虫防除仕掛け具と、
前記表面に当接される第二の当接部と、この第二の当接部に形成された下向き開口の第二の平板収容部と、この第二の平板収容部に収容されたときの縦断面形状が前記第二の平板収容部に収容された第二の平板部から下方に前記表面から離れる方向に傾斜するとともに下部が下方に延出して形成された第二の暗空間形成部と、前記第二の平板収容部の下方で前記第二の当接部に形成され前記収容状態の前記第二の暗空間形成部の落下を防止する第二の落下防止ストッパー部とからなる第二の害虫防除仕掛け具と、
前記第一の平板収容部及び前記第二の平板収容部に収容可能な平板連結部と、この平板連結部から連続して形成され前記第一の暗空間形成部及び前記第二の暗空間形成部間に架設される覆蓋架設部と、この覆蓋架設部の下端部に形成され前記平板連結部に向かうように折曲げ可能な折曲舌片部とからなる連結手段とを備えていることを特徴とする害虫防除仕掛け具。
【請求項３】
建築物の基礎構造の表面が屋外に対して内又は外に折れている隅角部に沿うように横断面略く字状又は横断面略逆く字状に形成され前記隅角部の両側に配置された両平板収容部に両端が収容される第一の隅上部連結部と、この第一の隅上部連結部の両端が前記両平板収容部に収容されたときの縦断面形状が前記第一の隅上部連結部から下方に前記表面から離れる方向に傾斜するとともに下部が下方に延出して形成され、かつ、前記第一の隅上部連結部の下部から下方に分割されている第一の隅覆蓋部とからなる第一の隅連結手段を備えていることを特徴とする請求項１又は２に記載の害虫防除仕掛け具。
【請求項４】
建築物の基礎構造の表面が屋外に対して内又は外に折れている隅角部に沿うように横断面略く字状又は横断面略逆く字状に形成され前記隅角部の両側に配置された両平板収容部に両端が収容される略中央で分割された第二の隅上部連結部と、この第二の隅上部連結部の両端が前記両平板収容部に収容されたときの縦断面形状が前記第二の隅上部連結部から下方に分割されたまま前記表面から離れる方向に傾斜するとともに下部が分割されることなく連続して下方に延出して形成されている第二の隅覆蓋部とからなる第二の隅連結手段を備えていることを特徴とする請求項１から３のいずれかに記載の害虫防除仕掛け具。
【発明の詳細な説明】
【技術分野】
【０００１】
本発明は、建築物の基礎構造の表面に水平方向に横断して配置されてムカデ等の害虫の通過を阻止する害虫防除仕掛け具に関するものである。
【背景技術】
【０００２】
一般に害虫防除仕掛け具は、合成樹脂製のものと、金属製のものとがある。金属製のものには、例えば、成型品や金属加工製品がある。従来の金属製のものとして、例えば、特許文献１に記載の粉末防虫剤の効果助長器具がある。この効果助長器具は、建築基礎に設置する金属製の逆Ｌ型防虫散布スペースと、この上に付く外壁水切り兼防雨水切りとからなるものである。この器具の建築物への取り付けは、建築物の土台部分に釘を用いて逆Ｌ型防虫散布スペース及び外壁水切り兼防雨水切りの止めしろを固定することで行われる（たとえば特許文献１（段落番号００１３、図１）参照）。
【先行技術文献】
【特許文献】
【０００３】
【特許文献１】実用新案登録第３０６６２５３号公報
【発明の概要】
【発明が解決しようとする課題】
【０００４】
しかし、従来の効果助長器具では、逆Ｌ型防虫散布スペースと外壁水切り兼防雨水切りの双方の止めしろに釘を打ちつけて土台部分に固着することとなるため、施工がしづらい。また、釘を用いて固着しているため、その効果助長器具を容易に取り外すことができない。たとえばメンテナンスの場合に、効果助長器具を土台部分から容易に脱着することができず、メンテナンス性が悪いという問題点があった。
【０００５】
本発明の目的は、ムカデ等の害虫の通過を阻止することができるとともに、建築物の基礎構造の表面に簡単かつ容易に取付け及び取外しができ、施工がしやすくメンテナンス性の良好な害虫防除仕掛け具を提供することにある。
【課題を解決するための手段】
【０００６】
本発明の請求項１記載の害虫防除仕掛け具は、建築物の基礎構造の表面に水平方向に横断して配置されてムカデ等の害虫の通過を阻止する害虫防除仕掛け具であって、前記表面に当接される当接部と、この当接部に形成された下向き開口の平板収容部と、この平板収容部に収容されたときの縦断面形状が前記平板収容部に収容された平板部から下方に前記表面から離れる方向に傾斜するとともに下部が下方に延出して形成されている暗空間形成部と、前記平板収容部の下方で前記当接部に形成され前記収容状態の前記暗空間形成部の落下を防止する落下防止ストッパー部とを備えていることを特徴とする。
【０００７】
本発明の請求項２記載の害虫防除仕掛け具は、建築物の基礎構造の表面に水平方向に横断して複数配置されてムカデ等の害虫の通過を阻止する害虫防除仕掛け具であって、前記表面に当接される第一の当接部と、この第一の当接部に形成された下向き開口の第一の平板収容部と、この第一の平板収容部に収容されたときの縦断面形状が前記第一の平板収容部に収容された第一の平板部から下方に前記表面から離れる方向に傾斜するとともに下部が下方に延出して形成された第一の暗空間形成部と、前記第一の平板収容部の下方で前記第一の当接部に形成され前記収容状態の前記第一の暗空間形成部の落下を防止する第一の落下防止ストッパー部とからなる第一の害虫防除仕掛け具と、前記表面に当接される第二の当接部と、この第二の当接部に形成された下向き開口の第二の平板収容部と、この第二の平板収容部に収容されたときの縦断面形状が前記第二の平板収容部に収容された第二の平板部から下方に前記表面から離れる方向に傾斜するとともに下部が下方に延出して形成された第二の暗空間形成部と、前記第二の平板収容部の下方で前記第二の当接部に形成され前記収容状態の前記第二の暗空間形成部の落下を防止する第二の落下防止ストッパー部とからなる第二の害虫防除仕掛け具と、前記第一の平板収容部及び前記第二の平板収容部に収容可能な平板連結部と、この平板連結部から連続して形成され前記第一の暗空間形成部及び前記第二の暗空間形成部間に架設される覆蓋架設部と、この覆蓋架設部の下端部に形成され前記平板連結部に向かうように折曲げ可能な折曲舌片部とからなる連結手段とを備えていることを特徴とする。
【０００８】
本発明の請求項３記載の害虫防除仕掛け具は、請求項１又は２に記載の害虫防除仕掛け具において、建築物の基礎構造の表面が屋外に対して内又は外に折れている隅角部に沿うように横断面略く字状又は横断面略逆く字状に形成され前記隅角部の両側に配置された両平板収容部に両端が収容される第一の隅上部連結部と、この第一の隅上部連結部の両端が前記両平板収容部に収容されたときの縦断面形状が前記第一の隅上部連結部から下方に前記表面から離れる方向に傾斜するとともに下部が下方に延出して形成され、かつ、前記第一の隅上部連結部の下部から下方に分割されている第一の隅覆蓋部とからなる第一の隅連結手段を備えていることを特徴とする。
【０００９】
ここで、隅角部には、入り隅角部と出隅角部とがある。入り隅角部は、建築物の基礎構造の表面が屋外に対して内に折れている。出隅角部は、建築物の基礎構造の表面が屋外に対して外に折れている。第一の隅連結手段は、入り隅角部及び出隅角部に適応可能である。第一の隅連結手段を入り隅角部に適用する場合には、１枚の剛板を切断及び折曲げ加工で製作可能である。さらに第一の隅連結手段に、その第一の隅覆蓋部の下端部が第一の隅上部連結部に向かうように形成された第一の隅かえし部を備えていてもよい。また第一の隅連結手段に、２分割された第一の隅覆蓋部間において一方の第一の隅覆蓋部から水平方向に連続して設けられており、他方の第一の隅覆蓋部の内側に重なるように設けられている第一の隅重合部を備えていてもよい。
【００１０】
本発明の請求項４記載の害虫防除仕掛け具は、請求項１から３のいずれかに記載の害虫防除仕掛け具において、建築物の基礎構造の表面が屋外に対して内又は外に折れている隅角部に沿うように横断面略く字状又は横断面略逆く字状に形成され前記隅角部の両側に配置された両平板収容部に両端が収容される略中央で分割された第二の隅上部連結部と、この第二の隅上部連結部の両端が前記両平板収容部に収容されたときの縦断面形状が前記第二の隅上部連結部から下方に分割されたまま前記表面から離れる方向に傾斜するとともに下部が分割されることなく連続して下方に延出して形成されている第二の隅覆蓋部とからなる第二の隅連結手段を備えている。
【００１１】
第二の隅連結手段は、入り隅角部及び出隅角部に適応可能である。第二の隅連結手段を出隅角部に適用する場合には、１枚の剛板から切断及び折曲げ加工で製作可能である。さらに第二の隅連結手段に、第二の隅覆蓋部の下端部を山折り形成するようにして第二の隅上部連結部に向かうように形成されている第二の隅かえし部を備えていてもよい。また第二の隅連結手段に、分割されている第二の隅覆蓋部間において一方の第二の隅覆蓋部から水平方向に連続して設けられており、他方の第二の隅覆蓋部の内側に重なるように設けられている第二の隅下部重合部を備えていてもよい。さらに、２分割されている第二の隅上部連結部間において一方の第二の隅上部連結部から水平方向に連続して設けられており、他方の第二の隅上部連結部の内側に重なるように設けられている第二の隅上部重合部を備えていてもよい。
【発明の効果】
【００１２】
本発明の請求項１記載の害虫防除仕掛け具によれば、建築物の基礎構造の表面に当接される当接部と、この当接部に形成された下向き開口の平板収容部と、この平板収容部に収容されたときの縦断面形状が平板収容部に収容された平板部から下方に表面から離れる方向に傾斜するとともに下部が下方に延出して形成されている暗空間形成部と、平板収容部の下方で当接部に形成され収容状態の暗空間形成部の落下を防止する落下防止ストッパー部とを備えているので、落下防止ストッパー部上で平板収容部に収容されて暗空間形成部が着脱自在に取着され、ムカデ等の害虫の通過を阻止することができるとともに、建築物の基礎構造の表面に簡単かつ容易に取付け及び取外しができ、施工がしやすくメンテナンス性が良好であるという効果を奏する。
【００１３】
本発明の請求項２記載の害虫防除仕掛け具によれば、第一の害虫防除仕掛け具と第二の害虫防除仕掛け具と連結手段とを備えているので、両害虫防除仕掛け具間が連結手段で着脱自在に架設され、ムカデ等の害虫の通過を阻止することができるとともに、建築物の基礎構造の表面に簡単かつ容易に取付け及び取外しができ、施工がしやすくメンテナンス性が良好であるという効果を奏する。
【００１４】
本発明の請求項３記載の害虫防除仕掛け具によれば、請求項１又は２に記載の害虫防除仕掛け具の奏する効果に加えて、第一の隅連結手段を備えているので、隅角部の両側に配置された両害虫防除仕掛け具間が第一の隅連結手段で着脱自在に架設され、隅角部においてムカデ等の害虫の通過を阻止することができるとともに、建築物の基礎構造の表面に簡単かつ容易に取付け及び取外しができ、施工がしやすくメンテナンス性が良好であるという効果を奏する。
【００１５】
本発明の請求項４記載の害虫防除仕掛け具によれば、請求項１から３のいずれかに記載の害虫防除仕掛け具の奏する効果に加えて、第二の隅連結手段を備えているので、隅角部の両側に配置された両害虫防除仕掛け具間が第二の隅連結手段で着脱自在に架設され、隅角部においてムカデ等の害虫の通過を阻止することができるとともに、建築物の基礎構造の表面に簡単かつ容易に取付け及び取外しができ、施工がしやすくメンテナンス性が良好であるという効果を奏する。
【図面の簡単な説明】
【００１６】
【図１】図１は害虫防除仕掛け具を基礎構造の表面に取り付けた配置状態を示す斜視図である。
【図２】図２は連結手段を示す斜視図である。
【図３】図３は第一の隅連結手段としての入り隅連結手段を示す斜視図である。
【図４】図４は第二の隅連結手段としての出隅連結手段を示す斜視図である。
【図５】図５は基礎構造の表面において連結手段で連結配置された害虫防除仕掛け具の状態を示す斜視図である。
【図６】図６は入り隅角部において入り隅連結手段で連結配置された害虫防除仕掛け具の状態を示す斜視図である。
【図７】図７は出隅角部において出隅連結手段で連結配置された害虫防除仕掛け具の状態を示す斜視図である。
【発明を実施するための形態】
【００１７】
以下、図面を参照しながら、本発明を実施するための形態を説明する。図１は害虫防除仕掛け具１００を建築物の基礎構造１の表面（以下、単に「外壁」ともいう。）に取り付けた配置状態を示す斜視図である。本実施形態の害虫防除仕掛け具１００は、建築物の基礎構造１の表面に水平方向に横断して配置されてムカデ等の害虫の通過を阻止するものである。害虫防除仕掛け具１００は、外壁に取り付けたときの水平方向に長尺状となるように形成されている。害虫は種々挙げられるが、例えば、ゴキブリ、シロアリ、クロアリ、ムカデ、ナメクジ、ダンゴムシ、ゲジ、ワラジムシなどの匍匐害虫が挙げられ、特に本実施形態ではムカデを対象としている。
【００１８】
害虫防除仕掛け具１００は、金属製であることが好ましい。より具体的にはガルバニウム鋼板製であることが好ましい。更に好ましくは、薄鋼板が好ましく、より具体的には０．２５ｍｍ〜１ｍｍの範囲の厚みの薄鋼板が好ましく、０．３〜０．４ｍｍの範囲の厚みの薄鋼板が取付け及び取外しの点で、より好ましい。また、トップコート塗装がなされているとその塗装面は害虫が滑って通過できないので、害虫の通過を阻止するという点で害虫防除仕掛け具１００のいずれかの面にトップコート塗装がなされているとさらに好ましい。害虫防除仕掛け具１００は、外壁取付手段１０と、暗空間形成手段２０と、連結手段３０と、隅連結手段４０、５０とを備えている。害虫防除仕掛け具１００の各手段は、いずれも１枚の剛板を切断し、折曲げ加工をして製作してある。
【００１９】
外壁取付手段１０は、害虫防除仕掛け具１００を建築物の基礎構造１の表面に取り付けるためのものである。外壁取付手段１０は、基礎構造1の表面に取り付けられて害虫の侵入経路上に設けられる。外壁取付手段１０は、一方の面にトップコート塗装がなされている１枚のガルバニウム鋼板を折曲げ加工して構成されており、図１に示すように、当接部１１と、平板収容部１２と、落下防止ストッパー部１３と、薬剤トレイ部１４とを備えている。
【００２０】
当接部１１は、外壁取付手段１０を外壁に取り付けるために用いられ、取付のときに建築物の基礎構造１の表面側に当接される当接面にトップコート塗装がなされている。当接部１１は、薄鋼板からなる略平面状に形成されており、当接部１１の上部には平板収容部１２が連続して形成されている。
【００２１】
平板収容部１２は、落下防止ストッパー部１３とともに、暗空間形成手段２０、連結手段３０、隅連結手段４０，５０を外壁取付手段１０に係止するための収容部である。平板収容部１２は、当接部１１の上部を内側が断面略凹状となるように、縦断面略円弧状に折り曲げて剛板製平板が２〜３枚収容される収容空間が形成されている。平板収容部１２は、その折り曲げられた下端部が延出して形成されて下向き開口部を有する。下向き開口部の開口部分が、暗空間形成手段２０、連結手段３０、隅連結手段４０，５０が挿入される挿入口になる。
【００２２】
落下防止ストッパー部１３は、平板収容部１２に収容されたものが落下することを防止するための落下防止用のストッパー機能を発揮する。落下防止ストッパー部１３は、縦断面形状が、平板収容部１２の下方であって当接部１１の一部を、当接部１１の当接面とは反対側の面側へ張り出すように縦断面略円弧状に折り曲げる若しくは縦断面円弧状に突出加工して、配置状態に基礎構造１から離れる方向に張り出して形成されている。落下防止ストッパー部１３は、水平方向に連続して単数形成されている。なお、落下防止ストッパー部１３は、水平方向に単数形成されているものに何ら限定されるものではなく、平板収容部１２に収容された暗空間形成手段２０、連結手段３０、隅連結手段４０，５０の落下を防止するものであれば、例えば凸状、角状、その他の形状のものを複数形成したものであってもよい。
【００２３】
薬剤トレイ部１４は、害虫防除仕掛け具１００の害虫の出入口部分に配置されるもので、害虫の経路上に設けられる最初の罠の部分である。薬剤トレイ部１４は、当接部１１の下部に設けられており、当接部１１の下部を略９０度上側に谷折りし加工し、さらに所定間隔をおいて端部を略９０度上側に谷折り加工して縦断面略凹状となるように形成されている。なお、薬剤トレイ部１４には、必ずしも薬剤が散布されなくても害虫の通過を阻止することができるのであるが、後付けで薬剤が散布された方が更に害虫防除の点で好ましい。この薬剤は粉剤が好ましい。
【００２４】
暗空間形成手段２０は、外壁取付手段１０と組み合わされて使用されることで害虫の通過経路上に害虫防除仕掛け具１００の出入口付近に暗空間を形成し、害虫の通過を阻止するためのものである。ここで、出入口付近とは、本実施形態の場合、薬剤トレイ部１４の下方及びそこから下方に所定距離を離れた暗空間形成手段２０の下端部に相当する外壁部分までの周辺である。暗空間形成手段２０は、一方の面にトップコート塗装がなされている１枚のガルバニウム鋼板を折曲げ加工して構成されており、平板部２１と、暗空間形成部２２、２３と、かえし部２４とを備えている。
【００２５】
平板部２１は、暗空間形成手段２０の上部に形成されており、平板収容部１２に収容可能な平板状に形成されている。暗空間形成手段２０は、平板部２１が平板収容部１２と落下防止ストッパー部１３とに係止されることによって外壁取付手段１０に着脱自在に取着される。平板部２１の下方には暗空間形成部２２，２３が形成されている。
【００２６】
暗空間形成部２２，２３は、害虫が暗闇を好む習性を有することから、害虫防除仕掛け具１００の出入口付近に暗闇を形成するために用いられる。暗空間形成部２２，２３は、平板部２１の下部から連続して形成されており、平板部２１の下部から斜め下方に傾斜する庇部２２と、庇部２２からさらに下部が下方に延出して形成された下方延出部２３とで構成される。
【００２７】
暗空間形成部としての庇部２２は、害虫防除仕掛け具１００の害虫の出入り口の上部に取り付けられる日除けや雨除け用の小型の屋根の機能を有する。庇部２２は、雨が流れるようにやや傾斜して形成することが好ましい。
【００２８】
暗空間形成部としての下方延出部２３は、庇部２２によって形成される暗空間を更に拡げる。下方延出部２３は、害虫防除仕掛け具１００の出入口付近を覆うように庇部２２の下端部をさらに垂下するように当接部１１の下部から所定距離を有する位置まで下方に延出して形成されている。下方延出部２３の下端部にはかえし部２４を設けてある。
【００２９】
かえし部２４は、下方延出部２３の下端部を平板部２１の方に略１３５度程度谷折り曲げ加工をして形成してある。かえし部２４は、暗空間形成手段２０の強度のためである。
【００３０】
図２は連結手段３０を示す斜視図である。連結手段３０は、建築物の基礎構造１の表面に水平方向に横断して複数配置された害虫防除仕掛け具１００を連結するためのものである。
【００３１】
連結手段３０は、一方の面にトップコート塗装がなされている１枚のガルバニウム鋼板製であって、０．３〜０．４ｍｍの範囲の厚みの薄鋼板を折曲げ加工して構成されており、図２に示すように、平板連結部３１と、覆蓋架設部３２，３３と、折曲舌片部３４とを備えている。
【００３２】
平板連結部３１は、水平方向に配置された２つの暗空間形成手段２０の平板部２１を連結するためのものである。平板連結部３１は、連結手段３０の上部に形成されており、平板収容部１２に収容可能な平板状に形成されている。連結手段３０は、平板連結部３１が平板収容部１２に収容されて使用される。
【００３３】
覆蓋架設部３２、３３は、平板連結部３１の下部から連続して形成され暗空間形成手段２０よりもひとまわり大きく構成されてなるものである。覆蓋架設部３２，３３は、庇架設部３２と、下方架設部３３とから構成される。
【００３４】
覆蓋架設部としての庇架設部３２は、平板連結部３１の下部から連続して形成されており、平板連結部３１の下部から斜め下方に傾斜している。
【００３５】
覆蓋架設部としての下方架設部３３は、庇架設部３２の下部からさらに下方に垂下延出して形成されている。下方架設部３３は、下部が略９０度程度上側に山折りし加工され縦断面略L字状に形成されている。その山折り加工された下端部に折曲舌片部３４が設けられている。
【００３６】
折曲舌片部３４は、下方架設部３３の縦断面略L字状の下端部の両側の先端部分がさらに横方向に延出して形成されている。折曲舌片部３４は、図２に示すように、上方に折曲げ可能である。
【００３７】
図３は第一の隅連結手段としての入り隅連結手段４０を示す斜視図である。第一の隅連結手段は、隅角部の両側に配置される害虫防除仕掛け具１００を連結するためのものである。
【００３８】
入り隅連結手段４０は、入り隅角部の両側に配置されている害虫防除仕掛け具１００を連結するためのものである。入り隅連結手段４０は、図３に示すように、入り隅上部連結部４１と、入り隅覆蓋部４２〜４９とを備えている。
【００３９】
入り隅上部連結部４１は、入り隅角部に沿うように横断面略く字状に形成されている。入り隅上部連結部４１は、両側の部分を両害虫防除仕掛け具１００の平板収容部１２に収容できるように、縦断面Ｉ状の平面状に形成されている。
【００４０】
入り隅覆蓋部４２〜４９は、入り隅上部連結部４１の下部から２分割されてそれぞれ連続して下方に形成されている。入り隅覆蓋部４２〜４９は、左上入り隅覆蓋部４２と、右上入り隅覆蓋部４３と、左下入り隅覆蓋部４４と、右下入り隅覆蓋部４５と、左入り隅かえし部４６と、右入り隅かえし部４７と、上入り隅重合部４８と、下入り隅重合部４９とから構成される。入り隅上部連結部４１の下部から２分割されている左側列が、左上入り隅覆蓋部４２と、左下入り隅覆蓋部４４と、左入り隅かえし部４６と、上入り隅重合部４８とである。他方、２分割されている右側列が、右上入り隅覆蓋部４３と、右下入り隅覆蓋部４５と、右入り隅かえし部４７と、下入り隅重合部４９とである。これら左右の分割列は、溶着等の固定がなされていない。そのため、外圧が加わると、相互に左右上下方向に微動可能である。
【００４１】
左上入り隅覆蓋部４２は、入り隅上部連結部４１の下部の左側から谷折り形成するように下方に連続して斜め下方に傾斜して形成されている。左上入り隅覆蓋部４２の下方には左下入り隅覆蓋部４４が連続して形成されている。
【００４２】
左下入り覆蓋部４４は、左上入り隅覆蓋部４２の下部で山折り形成されるようにして下方に連続して垂下して形成されている。左下入り隅覆蓋部４４の下部には左入り隅かえし部４６が形成されている。
【００４３】
左入り隅かえし部４６は、左下入り隅覆蓋部４４の下端部を山折り形成するようにして入り隅上部連結部４１に向かうように略１３５度程折り曲げて斜めに形成されている。
【００４４】
右上入り隅覆蓋部４３は、入り隅上部連結部４１の下部の右側から谷折り形成するように下方に連続し、斜め下方に傾斜して形成されている。右上入り隅覆蓋部４３の下方には右下入り隅覆蓋部４５が連続して形成されている。
【００４５】
右下入り覆蓋部４５は、右上入り隅覆蓋部４３の下部で山折り形成されるように下方に垂下して形成されている。右下入り隅覆蓋部４５の下部には右入り隅かえし部４７が形成されている。右入り隅かえし部４７は、右下入り隅覆蓋部４５の下端部を山折り形成するようにして入り隅上部連結部４１に向かうように略１３５度程折り曲げて斜めに形成されている。
【００４６】
左上入り隅覆蓋部４２には、上入り隅重合部４８が設けられている。また、右下入り隅覆蓋部４５には、下入り隅重合部４９が設けられている。
【００４７】
上入り隅重合部４８と下入り隅重合部４９とから構成される上下の入り隅重合部４８、４９は、直射日光や風雨の直接の侵入を防止するとともに、入り隅角部に隙間なく暗空間を形成するためのものである。上入り隅重合部４８は、左上入り隅覆蓋部４２の右側から水平方向に連続して設けられており、右上入り隅覆蓋部４３の内側に重なるように谷折り加工して設けられている。下入り隅重合部４９は、右入り隅覆蓋部４５の左側から水平方向に連続して設けられており、左下入り隅覆蓋部４４の内側に重なるように谷折り加工して設けられている。
【００４８】
図４は第二の隅連結手段としての出隅連結手段５０を示す斜視図である。出隅連結手段５０は、出隅角部の両側に配置される害虫防除仕掛け具１００を連結するためのものである。出隅連結手段５０は、図４に示すように、出隅覆蓋部５１〜５３、５６、５８、５９と、出隅上部連結部５４、５５、５７とを備えている。
【００４９】
出隅覆蓋部５１〜５３、５６，５８、５９は、出隅下部覆蓋５１と、出隅下部覆蓋部５１の上方に２分割して上方に延出するように設けられている左右の出隅上部覆蓋部５２，５３と、２分割された各出隅上部覆蓋部間に設けられている出隅下部重合部５６と、出隅下部覆蓋部５１の下部に設けられている左右の出隅かえし部５８、５９とから構成されている。
【００５０】
出隅覆蓋部５１〜５３、５６，５８、５９のうち出隅下部覆蓋部５１の上部から上方に２分割されている左側列が、左上出隅覆蓋部５２と、出隅下部重合部５６とである。他方、２分割されている右側列が、右上出隅覆蓋部５３である。これら左右の分割列は、溶着等の固定がなされていない。そのため、外圧が加わると、相互に左右上下方向に微動可能である。
【００５１】
出隅下部覆蓋部５１は、出隅角部を覆うように中央で山折り形成されるようにして横断面略逆く字状に形成されている。出隅下部覆蓋部５１の上方には中央で２分割されて上方に連続して形成される左右の出隅上部覆蓋部５２，５３が延出して形成されている。
【００５２】
左側の出隅上部覆蓋部５２は、出隅下部覆蓋部５１の上部の左側から山折り形成するように上方に連続して斜め上方に傾斜して延出して形成されている。右側の出隅上部覆蓋部５３は、出隅下部覆蓋部５１の上部の右側から山折り形成するように上方に連続して斜め上方に傾斜して延出して形成されている。左側の出隅上部覆蓋部５２には、出隅下部重合部５６が設けられている。
【００５３】
出隅下部重合部５６は、２分割されている左右の出隅上部覆蓋部５２，５３間において、左側の出隅上部覆蓋部５２から水平方向に連続して設けられており、山折り形成するようにして右側の出隅上部覆蓋部５３の内側に重なるように設けられている。
【００５４】
左右の出隅かえし部５８，５９は、出隅下部覆蓋部５１の下端部を中央で２分割してそれぞれ山折り形成するようにして出隅上部連結部５４，５５に向かうように上側に略１３５度程度折り曲げて形成されている。
【００５５】
出隅上部連結部５４，５５、５７は、出隅上部覆蓋部５２，５３から上方に連続して形成されており、分割されたまま各出隅上部覆蓋部５２，５３の上部で谷折り形成されるようにして上方に連続して形成されている。出隅上部連結部５４，５５、５７は、出隅左上部５４と、出隅右上部５５と、出隅上部重合部５７とから構成される。出隅上部連結部５４，５５、５７は、全体が出隅角部に沿うように横断面略逆く字状に形成されており、出隅上部連結部５４，５５，５７の各部は、平板収容部１２に収容可能な平面状に形成されている。
【００５６】
出隅上部連結部のうち出隅上部重合部５７は、出隅左上部５４と出隅右上部５５との間において、出隅右上部５５の左側から水平方向に連続して設けられており、山折り形成されるようにして出隅左上部５４の内側に重なるように設けられている。出隅左上部５４と出隅上部重合部５７、出隅左上部５４と出隅右上部５５とは、それぞれ溶着等の固定がなされていない。そのため、外圧が加わると、相互に左右上下方向に微動可能である。
【００５７】
次に図５〜７を参照して本実施形態の害虫防除仕掛け具１００の施工方法の一例を説明する。図５は、外壁において連結手段３０で連結配置された害虫防除仕掛け具１００の配置状態を示す斜視図である。外壁に害虫防除仕掛け具１００を取り付けるには次のように行う。
【００５８】
まず、外壁取付手段１０を、その長尺方向が水平方向となるように基礎構造１の垂直面の少なくとも一部に水平方向に設置する。設置にあたっては、例えば、プラスチック系ねじ込みアンカー又はオールプラグ等の止め具を用いて外壁取付手段１０を基礎構造１に取着する。続いて、外壁取付手段１０の横に、同様にして他の外壁取付手段１０を外壁に取着して基礎構造１の水平方向に横断して外壁全周に外壁取付手段１０を取り付けていく。
【００５９】
ここで、外壁取付手段１０を外壁に取り付けた後、薬剤トレイ部１４に薬剤を散布してもよい。さらに害虫を捕獲したい場合には、当接部１１に捕虫器を取り付けてもよい。
【００６０】
次いで、外壁取付手段１０に暗空間形成手段２０を取り付ける。具体的には、暗空間形成手段２０を、平板部２１が当接部１１の下側から落下防止ストッパー部１３を乗り越えて平板収容部１２に収容されるように挿入し、平板部２１の下端が落下防止ストッパー部１３上となるように載置すればよい。取り付けられた暗空間形成手段２０は、平板部２１が平板収容部１２と落下防止ストッパー１３とに係止されて外壁取付手段１０に着脱可能に取着される。
【００６１】
ところで、外壁取付手段１０を外壁全周に取り付ける際、両外壁取付手段１０を隣接して取着することが好ましい。ただし、建築物の外壁全周に取着するにあたって、図５に示すように、両外壁取付手段１０間を所定幅離間して設ける場合もある。この場合に連結手段３０を用いる。
【００６２】
連結手段３０を取り付ける場合には、両平板収容部１２に平板連結部３１を挿入するようにして覆蓋架設部３２、３３の両側を両暗空間形成手段２０に一部覆い重なるようにしてかぶせる。かぶせた後、折曲舌片部３３を上側に折り曲げる。このとき、外壁において、平板連結部３１が両外壁取付手段１０間を連結し、覆蓋架設部３２、３３が両暗空間形成手段２０間に架設され、下部では折曲舌片部３３が折り曲げられて暗空間形成手段２０に係止されている。折曲舌片部３３は、０．３〜０．４ｍｍの範囲の厚みの薄鋼板製であるので、施工者が指で簡単に折り曲げることができる。このため、施工は簡単かつ容易にできる。
【００６３】
なお、連結手段３０は、隣接して設けられた両外壁取付手段１０間に用いることもできる。この場合は、ほとんど隙間なく確実に覆蓋した状態で両外壁取付手段１０間を連結することができ、見た目も美しい。
【００６４】
図６は、入り隅角部において入り隅連結手段４０で連結配置された害虫防除仕掛け具１００の状態を示す斜視図である。建築物には入り隅角部が形成されている場合がある。入り隅角部において害虫防除仕掛け具１００を取り付けるには次のように行う。
【００６５】
入り隅角の両側に外壁取付手段１０と暗空間形成手段２０とを取り付けるには、上記施工方法に基いて行う。次に、両側の両暗空間形成手段２０間に入り隅連結手段４０を取り付ける。具体的には、まず、両平板収容部１２に入り隅上部連結部４１の上部両端を挿入して入り隅上部連結部４１の両端を両平板収容部１２に収容する。次いで、入り隅覆蓋部４２〜４７の両側が両暗空間形成手段２０に一部覆い重なるようにしてかぶせる。そして左入り隅かえし部４６と右入り隅かえし部４７の一部が、それぞれ両下方延出部２３に係止するようにひっかけて取り付ける。
【００６６】
このとき、入り隅角部において、入り隅上部連結部４１が両外壁取付手段１０間を連結し、入り隅覆蓋部４２〜４９が両暗空間形成手段２０間に架設され、下部では左入り隅かえし部４６と右入り隅かえし部４７とが両下方延出部２３に係止されている。入り隅覆蓋部４２〜４９の左右の分割列は、溶着等の固定がなされていないので、施工者が指で入り隅覆蓋部４２〜４９を両側に開いたり上方に持ちあげたりすることができる。特別な接着や切断等の加工が必要ないため、施工は簡単かつ容易にできる。また、容易に取り外すことができるので、メンテナンス性もよい。
【００６７】
図７は、出隅角部において出隅連結手段５０で連結配置された害虫防除仕掛け具１００の状態を示す斜視図である。建築物には出隅角部が形成されている場合がある。出隅角部において害虫防除仕掛け具１００を取り付けるには次のように行う。
【００６８】
出隅角の両側に外壁取付手段１０と暗空間形成手段２０とを取り付けるには、上記施工方法に基いて行う。次に、両側の両暗空間形成手段２０間に出隅連結手段５０を取り付ける。具体的には、まず、両平板収容部１２に出隅上部連結部５４，５５、５７の上部両端を挿入して出隅上部連結部５４，５５、５７を両平板収容部１２に収容するようにする。次いで、出隅覆蓋部５１〜５３、５６，５８、５９が両暗空間形成手段２０に一部覆い重なるようにしてかぶせる。そして左右の出隅かえし部５８，５９の一部が、それぞれ両下方延出部２３に係止するようにひっかけて取り付ける。
【００６９】
このとき、出隅角部において、出隅上部連結部５４，５５、５７が両外壁取付手段１０間を連結し、出隅覆蓋部５１〜５３、５６，５８、５９が両暗空間形成手段２０間に架設され、下部では左右の出隅かえし部５８，５９が両下方延出部２３に係止されている。出隅左上部５４と出隅上部重合部５７、出隅左上部５４と出隅右上部５５、出隅下部重合部５６と出隅上部覆蓋部５３の左右の分割列は、それぞれ溶着等の固定がなされていないので、施工者が指で出隅上部連結部５４，５５、５７や出隅上部覆蓋部５２、５３を両側に開いたり上下方向に微動させることができ、取付の際の微調整が容易である。特別な接着や切断等の加工が必要ないため、施工は簡単かつ容易にできる。また、容易に取り外すことができるので、メンテナンス性もよい。
【００７０】
以上述べたように、本実施形態の害虫防除仕掛け具１００によれば、外壁取付手段１０は当接部１１と平板収容部１２と落下防止ストッパー部１３とを備えているので、暗空間形成手段２０を外壁取付手段１０に着脱自在に取着することができる。外壁取付手段１０はガルバニウム鋼板製であるので、基礎構造１の表面が凹凸でまっすぐでない場合においても、ガルバニウム鋼板の有する可撓性によって撓りがあるから表面にしっくり取着することができ、施工が容易である。さらに、暗空間形成手段２０はガルバニウム鋼板製であるので、外壁取付手段１０に取り付けやすく、かつ、カバーしやすい。そして、暗空間形成手段２０を外壁取付手段１０から容易かつ簡単に取り外すことができる。したがって、メンテナンス性がよい。
【００７１】
また、このように外壁取付手段１０と暗空間形成手段２０とが組み合わされて外壁に取り付けられているので、害虫の建物への侵入経路を強制的に変更し、当該侵入経路に沿って前進することを停止させ、又は前進する害虫を停滞若しくは落下させることができる。
【００７２】
すなわち、暗空間形成手段２０は暗空間形成部２２，２３を備えており、暗空間形成部２２，２３は害虫防除仕掛け具１００の出入口付近を覆うように下方延出部２３を備えているので、基礎構造１の表面を昇る害虫はその出入口から内部に進む。しかし、暗空間形成手段２０が外壁取付手段１０に組み合わされて経路をふさいでいるので、そのまま進むことはできない。仮に害虫が暗空間形成手段２０を乗り越えて進行しようとしても暗空間形成手段２０は外壁から離間して設けてあるので乗り越えることができない。さらにトップコート塗装がなされているので、暗空間形成手段２０表面が滑って進めず乗り越えることはできない。よって、害虫防除仕掛け具１００によって害虫の通過を確実に阻止することができ、その侵入経路を変更させることができる。
【００７３】
本実施形態では外壁取付手段１０に薬剤トレイ部１４を設けてあるので、害虫の侵入経路が直進方向から略水平方向に強制的に変更され、害虫は薬剤トレイ部１４に沿って進むことを強いられ、さらには薬剤トレイ部１４から下降若しくは落下することになる。
【００７４】
外壁に複数配置する場合には、両暗空間形成手段２０間に所定幅離間して設けてあるときにも、連結手段３０の覆蓋架設部３２、３３が暗空間形成手段２０と同様の作用効果を奏し、覆蓋架設部３２、３３によって形成された暗空間に侵入した害虫は、その後下方に移動又は落下することになる。ムカデ等の害虫の通過を確実に阻止することができる。
【００７５】
本実施形態の害虫防除仕掛け具１００によれば、連結手段３０を備えているので、例えば害虫防除仕掛け具１００が離間して設けられた場合でも、両外壁取付手段１０間に連結手段３０が架設されて、暗空間が外壁の水平方向に連続して形成され、害虫の進路を強制的に変更させることができる。
【００７６】
さらに、連結手段３０を用いて施工する場合においても、建築物の基礎構造１の表面に簡単かつ容易に取付け及び取外しができ、施工がしやすくメンテナンス性が良好である。
【００７７】
この場合、施工者は、指で折曲舌片部３３を上側に簡単に折り曲げて暗空間形成部２３に係止することができる。この結果、連結手段３０は、着脱自在に両暗空間形成手段２０間に架設される。また、施工者は、指で折曲舌片部３３を下側に折り曲げて元の形状に戻すようにすることも簡単かつ容易にできるので、連結手段３０の暗空間形成手段２０からの抜脱も容易である。このため、連結手段３０は、簡単な構成でかつ容易に、外壁取付手段１０と暗空間形成手段２０に着脱自在に取着できる。連結手段３０を暗空間形成手段２０から容易かつ簡単に取り外しができるので、メンテナンス性が良い。
【００７８】
本実施形態の害虫防除仕掛け具１００によれば、入り隅連結手段４０を備えているので、入り隅角部に入り隅連結手段４０が設けられて、入り隅角部においても害虫の建物への侵入経路を強制的に変更し、当該侵入経路に沿って前進することを停止させ、又は前進する害虫を停滞若しくは落下させることができる。害虫が入り隅覆蓋部４２〜４９下に進行したとしても、入り隅上部連結部４１によって進路を変更し、その前進を停止させ、停滞若しくは落下させることができるのである。さらに入り隅連結手段４０は両害虫防除仕掛け具１００間に着脱自在に架設されるので、外壁に簡単かつ容易に取付け及び取外しができ、施工がしやすくメンテナンス性が良好である
【００７９】
本実施形態の害虫防除仕掛け具１００によれば、出隅連結手段５０を備えているので、出隅角部に出隅連結手段が設けられて、出隅角部においても害虫の建物への侵入経路を強制的に変更し、当該侵入経路に沿って前進することを停止させ、又は前進する害虫を停滞若しくは落下させることができる。害虫が出隅覆蓋部５１〜５３、５６，５８、５９下に進行したとしても、出隅上部連結部５４，５５、５７によってその進路を変更し、その前進を停止させ、停滞若しくは落下させることができる。さらに出隅連結手段５０は両害虫防除仕掛け具１００間に着脱自在に架設されるので、外壁に簡単かつ容易に取付け及び取外しができ、施工がしやすくメンテナンス性が良好である。
【符号の説明】
【００８０】
１  基礎構造
２  入り隅部
３  出隅部
１１  当接部
１２  平板収容部
１３  落下防止ストッパー部
２１  平板部
２２  庇部（暗空間形成部）
２３  下方延出部（暗空間形成部）
３０  連結手段
３１  平板連結部
３２  庇架設部（覆蓋架設部）
３３  下方架設部（覆蓋架設部）
３４  折曲舌片部
４０  入り隅連結手段（第一の隅連結手段）
４１  入り隅上部連結部（第一の隅上部連結部）
４２  左上入り隅覆蓋部（第一の隅覆蓋部）
４３  右上入り隅覆蓋部（第一の隅覆蓋部）
４４  左下入り隅覆蓋部（第一の隅覆蓋部）
４５  右下入り隅覆蓋部（第一の隅覆蓋部）
４６  左入り隅かえし部（第一の隅覆蓋部）
４７  右入り隅かえし部（第一の隅覆蓋部）
４８  上入り隅重合部（第一の隅覆蓋部）
４９  下入り隅重合部（第一の隅覆蓋部）
５０  出隅連結手段（第二の隅連結手段）
５１  出隅下部覆蓋部（第二の隅覆蓋部）
５２  出隅上部覆蓋部（第二の隅覆蓋部）
５３  出隅上部覆蓋部（第二の隅覆蓋部）
５４  出隅左上部（第二の隅上部連結部）
５５  出隅右上部（第二の隅上部連結部）
５６  出隅下部重合部（第二の隅覆蓋部）
５７  出隅上部重合部（第二の隅上部連結部）
５８  出隅かえし部（第二の隅覆蓋部）
５９  出隅かえし部（第二の隅覆蓋部）
１００  害虫防除仕掛け具
【図１】
2015149924.tif 000003
【図２】
2015149924.tif 000004
【図３】
2015149924.tif 000005
【図４】
2015149924.tif 000006
【図５】
2015149924.tif 000007
【図６】
2015149924.tif 000008
【図７】
2015149924.tif 000009